【事件の表示】
　特願２０１８−１５３１９２「電子デバイスにおける透明基板のためのコーティング」拒絶査定不服審判事件〔平成３１年　３月２８日出願公開、特開２０１９−　４９６９９〕について、次のとおり審決する。
【結　論】
　本件審判の請求は、成り立たない。
【理　由】
第１　手続の経緯
　本願は、平成３０年８月１６日（パリ条約による優先権主張２０１７年９月８日、２０１８年２月２０日、いずれもアメリカ合衆国）の外国語書面出願であって、その手続の経緯は以下のとおりである。
　平成３０年　８月３０日　　：翻訳文の提出
　令和　元年　７月２２日付け：拒絶理由通知書
　令和　元年１０月　９日　　：意見書、手続補正書の提出
　令和　２年　２月２７日付け：拒絶査定（同年３月２日送達、以下「原査定」という。）  
　令和　２年　７月　１日　　：審判請求書、手続補正書の提出
　令和　２年　９月　１日付け：前置報告書
　令和　２年１１月１０日　　：上申書の提出
第２　令和２年７月１日にされた手続補正についての補正の却下の決定
［補正の却下の決定の結論］
　令和２年７月１日にされた手続補正を却下する。
［補正の却下の決定の理由］　
１　補正の内容
　令和２年７月１日にされた手続補正（以下「本件補正」という。）は、特許請求の範囲についてした補正であり、この補正により、以下に示すとおり、本件補正前の特許請求の範囲の請求項１が、補正後請求項１に補正された。
＜補正前請求項１＞
「　　【請求項１】
　内部を有する電子デバイスであって、
　筐体構造体と、
　前記筐体構造体に結合した透明ガラス基板と、
　前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成する、
　電子デバイス。」
＜補正後請求項１＞
「　　【請求項１】
　内部を有
し、かつ対向する前面及び背面を有する
　筐体構造体と、
　
前記筐体構造体に結合されたディスプレイと、
　
前記ディスプレイに重なり、かつ前記前面を形成する透明層と、
　前記筐体構造体に結合した透明ガラス基板
であって、前記背面に設けられたガラス筐体部材である前記透明ガラス基板
　前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成する、
　電子デバイス。」
（下線は、補正箇所を示す。）
２　補正の目的
　本件補正は、本件補正前の「内部を有する電子デバイス」が「対向する前面及び背面を有する」ものであり、本件補正前の「筐体構造体に結合した透明ガラス基板」が「前記背面に設けられたガラス筐体部材である」ものに限定するとともに、本件補正前の「電子デバイス」に「筐体構造体に結合されたディスプレイ」及び「前記ディスプレイに重なり、かつ前記前面を形成する透明層」という構成を新たに付加するものであり、かつ本件補正前の請求項１に記載された発明と本件補正後の請求項１に記載される発明は、産業上の利用分野及び解決しようとする課題が同一であることから、本件補正は、特許法１７条の２第５項２号に規定する特許請求の範囲の減縮を目的とする補正である。
　そこで、本件補正後の請求項１に係る発明が、特許出願の際独立して特許を受けることができるものであるかについて検討する。
３　独立特許要件の判断
（１）本件補正後の本願発明
　本件補正後の請求項１に係る発明（以下「本願補正発明」という。）は、前記「１　補正の内容」の＜補正後請求項１＞に記載された事項により特定されるとおりのものと認める。
（２）引用刊行物に記載された発明
ア　引用刊行物１
　本願の優先日前の平成２５年５月２３日に頒布された刊行物である特表２０１３−５１９１５１号公報（以下「引用刊行物１」という。）には、図面とともに以下の事項が記載されている。下線は当審が付した。
「【００３６】
　ある実施形態では、ポータブル電子装置のハウジングは、種々の表面に対してたたかれ又は擦られる。プラスチック又は柔軟な金属のハウジング面が使用されたときには、それらの面にスクラッチ傷が生じる傾向がある。他方、ガラスのハウジング面（例えば、ガラスカバーアッセンブリ）は、耐スクラッチ性が高い。更に、ガラスのハウジング面は、高周波透過性を呈し、一方、金属のハウジング面は、高周波通信を妨げ又は妨害する。１つの実施形態では、電子装置ハウジングは、電子装置ハウジングの前面及び後面に
ガラスハウジング部材（例えば、ガラスカバーアッセンブリ）
不透明性又は少なくとも部分的半透明性を与えるためにガラスハウジング部材に表面コーティング又はフィルムを施すことができる
そのような表面コーティング又はフィルムは、ガラスハウジング部材の内面
に施すことができる
【００３７】
　図３Ａは、本発明の一実施形態による例示的電子装置の概略斜視図である。図３Ｂは、本発明の一実施形態による図３Ａの電子装置の分解図である。図３Ｃは、本発明の一実施形態による図３Ａの電子装置の断面図である。図３Ａ−３Ｃの電子装置は、図２Ａ−２Ｄの電子装置の特徴の幾つか又は全部を含む。特に、同様の番号をもつコンポーネントは、幾つかの又は全ての特徴を共有する。
外周部材３２０は、電子装置３００の周囲を取り巻き、電子装置の最も外側の側部、上面及び下面（例えば、前面３１０、後面３１２、左面３１４、右面３１６、上面３１８及び下面３１９）の幾つか又は全部を形成する
リング状の外周部材３２０は、電子装置コンポーネントをアッセンブルして保持することのできる容積部３２２を包囲する
「【００５４】
　図３Ａ−３Ｃに戻ると、
容積部３３２内にコンポーネントを保持するために、電子装置３００は、電子装置の後面及び前面を各々形成する後部カバーアッセンブリ３５０及び前部カバーアッセンブリ３６０を備えている
各カバーアッセンブリは、例えば、接着剤、テープ、機械的固定具、フック、タブ、又はその組み合わせを使用することを含めて、適当な解決策を使用して、外周部材３２０に結合される
「【００６０】
　電子装置３００（図３Ａ−３Ｃ）に戻ると、前部カバーアッセンブリ３５０及び後部カバーアッセンブリ３６０は、適当な材料又は材料の組合せから構成することができる。ある実施形態では、カバーアッセンブリ３５０及び３６０の各々は、多数の異なる要素を結合することで構成することができる。
例えば、一方又は両方のカバーアッセンブリは、透明又は半透明のプレート（例えば、長方形のガラスプレート）を含む
【００６１】
　図３Ａ−３Ｃの例では、
前部カバーアッセンブリ３５０は、ガラスプレート３５４がアッセンブルされる支持構造体３５２を備えている
この支持構造体３５２は、ディスプレイ３５５を設けることのできる開口を含めて、１つ以上の開口を含む
【００６２】
　ある実施形態では、ガラスプレート３５４は、電子装置の内部コンポーネントの視野から隠れる化粧仕上げを含む。例えば、ディスプレイ回路の非表示部分の視野から隠れるようにディスプレイ３５５を取り巻く領域３５９に不透明層が付着される。１つ以上のセンサがガラスプレート３５４を通して信号を受信するので、不透明層を選択的に除去するか、又はプレート後方のセンサへガラスプレートを経て信号を通過できるように選択することができる。例えば、ガラスプレート３５４は、領域３５９ａ及び３５９ｂを含み、これを通して、センサ（例えば、カメラ、赤外線センサ、接近センサ、又は周囲光センサ）で信号を受信することができる。
【００６３】
　ある実施形態では、前部カバーアッセンブリ３５０は、ユーザが電子装置を使用できるようにする１つ以上のインターフェイスを支持し又はイネーブルする。例えば、ガラスプレート３５４は、電子装置のプロセス及び動作を制御するためのタッチインターフェイス（例えば、タッチパッド又はタッチスクリーン）を支持することができる。別の例として、前部カバーアッセンブリ３５０は、装置と相互作用するための１つ以上のボタン又はセンサ（上述した）を含む。あるケースでは、それに代わって又はそれに加えて、外周部材３２０又は後部カバーアッセンブリ３６０にボタン、スイッチ又は他のインターフェイス要素を合体することができる。電子装置３００は、ユーザと相互作用するための他の適当なインターフェイス、例えば、ディスプレイ回路、プロジェクタ、オーディオ出力回路（例えば、スピーカ又はオーディオポート）、触覚インターフェイス（例えば、振動を発生するためのモータ、又は電気的刺激を与えるための電源）、又はそれらの組み合わせを含む。
【００６４】
　電子装置３００の化粧又は審美的魅力を向上させるために、外周部材３２０、前部カバーアッセンブリ３５０及び後部カバーアッセンブリ３６０の１つ又は全部を、適当なプロセスを使用して仕上げることができる。例えば、ポリシング、コーティング（例えば、染料又は着色材料や、光学的効果を与える材料を使用）、グレージング、薄膜堆積、グラインディング、スーパー仕上げ、又は他の適当なプロセスの１つ以上を電子装置コンポーネントに適用することができる。ある実施形態では、
１つ以上のガラス面（例えば、前部カバーアッセンブリ３５０又は後部カバーアッセンブリ３６０の）は、例えば、１つ以上のマスク、コーティング（例えば、調光又は二色性コーティング）、インク層、又はそれらの組み合わせを使用して、審美的に満足な見掛けを与えるように仕上げられる
前部カバーアッセンブリ３５０及び後部カバーアッセンブリ３６０のガラス面に適用される特定の仕上げは、前面及び後面３１０及び３１２が同様の見掛け又は異なる見掛けを有するように選択される
【図３Ａ】
【図３Ｂ】
【図３Ｃ】
　【図３Ａ】から、透明のガラスプレート３５４を通してディスプレイ３５５の画像が表示されており、当該透明のガラスプレート３５４が、ディスプレイ３５５に重なって配置され、電子装置３００の前面を形成していることが読み取れる。
　上記記載事項及び図面からみて、引用刊行物１には、以下の発明（以下「引用発明１」という。）が記載されているものと認められる。
「電子装置３００であって、
　当該電子装置３００の周囲を取り巻き、電子装置コンポーネントをアッセンブルして保持することのできる容積部３２２を包囲するリング状の外周部材３２０と、
　当該リング状の外周部材３２０に結合される前部カバーアッセンブリ３５０が備える支持構造体３５２と（【００３７】、【００５４】、【００６１】、【図３Ｂ】、【図３Ｃ】）、
　前記支持構造体３５２の開口に設けられたディスプレイ３５５と（【００６１】）、
　電子装置３００の前面３１０を形成し、ディスプレイ３５５に重なって配置される透明のガラスプレート３５４と（【００５４】、【００６０】、【００６１】、【図３Ａ】）、
　リング状の外周部材３２０に結合されて電子装置３００の後面３１２を形成し、透明のガラスプレートを含む後部カバーアッセンブリ３６０と（【００５４】、【００６０】）を備え、
　前記後部カバーアッセンブリ３６０のガラス面は、内面に１つ以上のコーティングを使用して、審美的に満足な見掛けを与えるように仕上げられる（【００３６】、【００６４】）、
　電子装置３００。」
イ　引用刊行物２
　原査定の拒絶の理由に引用され、本願の優先日前の平成２６年３月２７日に頒布された刊行物である特開２０１４−５６２２７号公報（以下「引用刊行物２」という。）には、図面とともに以下の事項が記載されている。
「【０００４】
　本発明が解決しようとする課題は、メタリックな色感を提供できる表示パネルアセンブリ及びこれを含む電子機器を提供することである。」
「【００４９】
　図５は、図３のＶの部分を拡大して示した図面であって、本発明の一実施形態による不透明層１３０を拡大して示した断面図である。
【００５０】
　図５を参照すれば、
不透明層１３０は、ウィンドウカバー１１０を通じて入射した光を選択的に反射させ、ユーザにメタリックな色感を提供する誘電体ミラー層１３４、及び誘電体ミラー層１３４上に形成された光吸収層１３５を備える
【００５１】
　
一実施形態として、不透明層１３０は、フィルム１３２の背面上に誘電体ミラー層１３４及び光吸収層１３５を順次に形成することによって製作される
このように製作された不透明層１３０は、接着層１３１によってウィンドウカバー１１０の背面に付着される
【００５２】
　フィルム１３２は、ウィンドウカバー１１０を通じて入射する光が誘電体ミラー層１３４に入射するように、透明な素材を含む。例えば、フィルム１３２は、ポリエチレンエーテルフタレート、ポリエチレンナフタレート、ポリカーボネート、ポリアリレート、ポリエーテルイミド、ポリエーテルスルホン及びポリイミドで構成される。
【００５３】
　なお、フィルム１３２は、ウィンドウカバー１１０の背面において、誘電体ミラー層１３４及び光吸収層１３５を配するための媒介体であって、工程によって省略されることもある。例えば、ウィンドウカバー１１０の背面上に、直接誘電体ミラー層１３４を形成し、誘電体ミラー層１３４上に、光吸収層１３５を形成すすることにより、フィルム１３２は省略されうる。
【００５４】
　誘電体ミラー層１３４は、屈折率の異なる複数の誘電体層３４１，３４２，３４３（図６）を備える。例えば、誘電体ミラー層１３４は、ウィンドウカバー１１０の背面上に形成された第１誘電体層３４１、第１誘電体層３４１上に形成された第２誘電体層３４２、及び第２誘電体層３４２上に形成された第３誘電体層３４３を備える。
【００５５】
　一実施形態として、第１誘電体層３４１及び第３誘電体層３４３の屈折率は、第２誘電体層３４２の屈折率より大きく形成される。すなわち、誘電体ミラー層１３４は、高屈折率の第１誘電体層３４１、低屈折率の第２誘電体層３４２、及び高屈折率の第３誘電体層３４３を備える。例えば、第１誘電体層３４１及び第３誘電体層３４３は、二酸化チタン（ＴｉＯ２）を含み、第２誘電体層３４２は、二酸化ケイ素（ＳｉＯ２）を含む。
【００５６】
　他の実施形態においては、第１誘電体層３４１及び第３誘電体層３４３の屈折率が、第２誘電体層３４２の屈折率より小さく形成される。すなわち、誘電体ミラー層１３４は、低屈折率の第１誘電体層３４１、高屈折率の第２誘電体層３４２、及び低屈折率の第３誘電体層３４３を備える。例えば、第１誘電体層３４１及び第３誘電体層３４３は、二酸化ケイ素（ＳｉＯ２）を含み、第２誘電体層３４２は、二酸化チタン（ＴｉＯ２）を含む。なお、これら第１誘電体層３４１及び第３誘電体層３４３の屈折率は、相対的に大小差があればよく、特定の値に限定されるものではない。
【００５７】
　前述したように、高屈折率層と低屈折率層とが交互に形成された誘電体ミラー層１３４を通じて、ユーザにメタリックな多様な色感を提供することができる。
これは、複数の誘電体層３４１，３４２，３４３を含む誘電体ミラー層１３４が、それぞれの誘電体層３４１，３４２，３４３の境界面で反射される光の干渉に基づいて、メタリックな多様な色感を提供できるからである
【００５８】
　
すなわち、ウィンドウカバー１１０を通じて入射した光の一部は、誘電体ミラー層１３４によって反射され、ユーザにメタリックな色感を提供し、誘電体ミラー層１３４で反射されない残りの光は、光吸収層１３５に吸収される
このために、光吸収層１３５は、例えば黒色の印刷層であり、スプレイ、スクリーンプリンティングのような方法を利用して、誘電体ミラー層１３４上に黒色の塗料を塗布することによって形成される
「【００６４】
　さらに他の実施形態として、誘電体ミラー層１３４が、約２００Å厚のＴｉＯ２を含む第１誘電体層３４１、約４００Å厚のＳｉＯ２を含む第２誘電体層３４２、約１００Å厚のＴｉＯ２を含む第３誘電体層３４３を含む場合、
ユーザは、メタリックなシルバーを視認することができる
【図５】
　上記記載事項及び図面からみて、引用刊行物２には、以下の周知技術が記載されているものと認められる。
「ウィンドウカバーを通じて入射した光を選択的に反射させる誘電体ミラー層、及び誘電体ミラー層上に形成された光吸収層を備え、接着層によってウィンドウカバーの背面に付着される不透明層であって、（【００５０】、【００５１】）、
　前記誘電体ミラー層は、複数の誘電体層を含み、それぞれの誘電体層の境界面で反射される光の干渉に基づいて、メタリックな多様な色感（例えば、メタリックなシルバー（【００６４】））を提供でき（【００５７】）、
　前記誘電体ミラー層で反射されない残りの光は、例えば黒色の印刷層である光吸収層に吸収される（【００５８】）、
　不透明層。」
（３）対比
ア　本願補正発明と引用発明の対比
　本願補正発明と引用発明１を対比する。
（ア）引用発明１の「電子装置３００」は、「電子装置コンポーネントを保持する」「容積部３２２」を有し、「電子装置３００」の「後面３１２」及び「前面３１０」を各々形成する「後部カバーアッセンブリ３６０」及び「透明のガラスプレート３５４」を備えるものであり、当該「容積部３２２」、「前面３１０」及び「後面３１２」は、それぞれ本願補正発明の「内部」、「対向する前面及び背面」に相当する。
　よって、引用発明１の「電子装置３００」は、本願補正発明の「内部を有し、かつ対向する前面及び背面を有する電子デバイス」に相当する。
（イ）引用発明１の「当該電子装置３００の周囲を取り巻き、電子装置コンポーネントをアッセンブルして保持することのできる容積部３２２を包囲するリング状の外周部材３２０」は、本願補正発明の「筐体構造体」に相当する。
（ウ）引用発明１の「支持構造体３５２の開口に設けられたディスプレイ３５５」は、支持構造体３５２（を備える前部カバーアッセンブリ３５０）を介してリング状の外周部材３２０に結合されているから、本願補正発明の「筐体構造体に結合されたディスプレイ」に相当する。
（エ）引用発明１の「透明のガラスプレート３５４」は、本願補正発明の「透明層」に相当する。
　よって、引用発明１の「電子装置３００の前面３１０を形成し、ディスプレイ３５５に重なって配置される透明のガラスプレート３５４」は、本願補正発明の「前記ディスプレイに重なり、かつ前記前面を形成する透明層」に相当する。
（オ）引用発明１の「後面３１２」、及び「後部カバーアッセンブリ３６０」に含まれる「透明のガラスプレート」は、それぞれ本願補正発明の「背面」、及び「ガラス筐体部材」である「透明ガラス基板」に相当する。
　よって、引用発明１の「リング状の外周部材３２０に結合されて電子装置３００の後面３１２を形成し、透明のガラスプレートを含む後部カバーアッセンブリ３６０」は、本願補正発明の「前記筐体構造体に結合した透明ガラス基板であって、前記背面に設けられたガラス筐体部材である前記透明ガラス基板」に相当する。
（カ）引用発明１の「前記後部カバーアッセンブリ３６０のガラス面は、内面に１つ以上のコーティングを使用して、審美的に満足な見掛けを与えるように仕上げられる」ことと、本願補正発明の「前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成する」ことは、「前記内部に面し、前記透明ガラス基板を通して視認できる、前記透明ガラス基板上のコーティングと、を備える」という点で共通する。
イ　一致点及び相違点
　上記アの検討を総合すると、本願補正発明と引用発明１の両者は、以下の一致点で一致し、以下の相違点で相違する。
＜一致点＞
　内部を有し、かつ対向する前面及び背面を有する電子デバイスであって、
　筐体構造体と、
　前記筐体構造体に結合されたディスプレイと、
　前記ディスプレイに重なり、かつ前記前面を形成する透明層と、
　前記筐体構造体に結合した透明ガラス基板であって、前記背面に設けられたガラス筐体部材である前記透明ガラス基板と、
　前記内部に面し、前記透明ガラス基板を通して視認できる、前記透明ガラス基板上のコーティングと、を備える、
　電子デバイス、である点。
＜相違点＞
　「透明ガラス基板上のコーティング」について、本願補正発明では、「インク層と、前記インク層と前記透明ガラス基板との間に挿入された薄膜干渉フィルタとを有し、前記薄膜干渉フィルタは、無彩色の部分反射ミラーを形成する」ものであるのに対して、引用発明１では、そのような構成を有していない点。
（４）当審の判断
ア　相違点についての判断
　上記相違点について、検討する。
　上記「（２）引用刊行物２」で述べたように、「ウィンドウカバーを通じて入射した光を選択的に反射させる誘電体ミラー層、及び誘電体ミラー層上に形成された光吸収層を備え、接着層によってウィンドウカバーの背面に付着される不透明層であって、前記誘電体ミラー層は、複数の誘電体層を含み、それぞれの誘電体層の境界面で反射される光の干渉に基づいて、メタリックな多様な色感（例えば、メタリックなシルバー）を提供でき、前記誘電体ミラー層で反射されない残りの光は、例えば黒色の印刷層である光吸収層に吸収される不透明層」は、本願の優先日前に周知の技術である。
　そうすると、引用発明１は、後部カバーアッセンブリ３６０のガラス面の内面に１つ以上のコーティングを使用して、審美的に満足な見掛けを与えるように仕上げられるものであるから、その具体的な構成として、上記周知技術のメタリックなシルバーの色感を提供する不透明層を採用することは、当業者が容易に想到し得るものである。なお、「メタリックシルバーの色感」が、無彩色であることは明らかである。そして、上記周知技術の「不透明層」を構成する「入射した光を選択的に反射させる誘電体ミラー層」は、複数の誘電体層を含み、それぞれの誘電体層の境界面で反射される光の干渉に基づいて、メタリックな多様な色感を提供するものであるから、本願補正発明の「薄膜干渉フィルタ」及び「部分反射ミラー」に相当し、上記周知技術の「不透明層」を構成する「黒色の印刷層である光吸収層」は、本願補正発明の「インク層」に相当することは明らかである。
　したがって、上記相違点に係る本願補正発明の発明特定事項は、引用発明１及び周知技術に基づいて当業者が容易に想到し得るものである。
　そして、本願補正発明によって奏される効果は、引用発明１及び周知技術から当業者が予測し得る程度のものにすぎない。
　よって、本願補正発明は、引用発明１及び周知技術に基づいて当業者が容易に発明をすることができたものであるから、特許法第２９条第２項の規定により、特許出願の際独立して特許を受けることができない。
イ　請求人の主張について
　請求人は、令和２年１１月１０日の上申書において、
「引用文献１から６は、請求項１および本願明細書に記載されるような「無彩色の部分反射ミラー」を記載していません。特に、前置報告において、引用文献２および３が「無彩色の部分反射ミラー」を記載しているとされています。しかしながら、引用文献２は、前面上の反射防止および色調整層に焦点を当てており、当業者をデバイスの背面上に「無彩色の部分反射ミラー」を含ませるよう導きません。引用文献３は、「ユーザにメタリックな色感を提供する」ミラーディスプレイコーティングを示していますが（請求項１参照）、これは、請求項１および本願明細書に記載されるような、デバイスの背面上になく、また「無彩色」かつ「部分反射ミラー」に対応もしません。引用文献３のミラーは本願明細書の［段落００３８］に記載されるような反射率の範囲および無彩色を有していません。」
　と主張している。
　しかしながら、引用刊行物１の【００６４】には、「前部カバーアッセンブリ３５０及び後部カバーアッセンブリ３６０のガラス面に適用される特定の仕上げは、前面及び後面３１０及び３１２が同様の見掛け又は異なる見掛けを有するように選択される。」と記載されているから、引用文献３（上記引用刊行物２と同じ文献）に記載の、メタリックシルバーの色感を有し、ウィンドウカバーを通じて入射した光を選択的に反射させる誘電体ミラー層及び光吸収層を備える不透明層をウィンドウカバーに付着する前記周知技術を、引用発明１に適用する際には、「後部カバーアッセンブリ３６０のガラス面」に不透明層を付着することになることは明らかである。
　そして、「引用文献３のミラーは本願明細書の［段落００３８］に記載されるような反射率の範囲および無彩色を有していません。」との主張については、本件補正後の請求項１の記載に基づくものではなく認められない。
　したがって、当該主張は採用できない。
（５）まとめ
　以上のとおり、本件補正は、特許法１７条の２第６項で準用する同法１２６条７項の規定に違反するものであり、同法１５９条１項で読み替えて準用する同法５３条１項の規定により却下されるべきものである。 
　よって、上記補正の却下の決定の結論のとおり決定する。
第３　本願発明
　本件補正は上記のとおり却下されたので、本願の請求項１に係る発明（以下「本願発明」という。）は、令和元年１０月９日にされた手続補正により補正された特許請求の範囲の請求項１に記載された次の事項により特定されるとおりのものと認める。
「　　【請求項１】
　内部を有する電子デバイスであって、
　筐体構造体と、
　前記筐体構造体に結合した透明ガラス基板と、
　前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成する、
　電子デバイス。」
第４　原査定における拒絶の理由
　原査定の拒絶の理由のうち、本願発明についての理由は、以下のとおりである。
理由２．本願発明は、下記の引用文献３に記載された発明であるから、特許法２９条１項３号に該当し、特許を受けることができない。
理由３．本願発明は、下記の引用文献３に記載された発明に基いて、その出願前にその発明の属する技術の分野における通常の知識を有する者が容易に発明をすることができたものであるから、特許法２９条２項の規定により特許を受けることができない。
引用文献３.登録実用新案第３２０８９８４号公報
第５　引用文献に記載された発明
　原査定の拒絶の理由に引用され、本願の優先日前の平成２９年３月２日に発行された上記引用文献３には、図面とともに以下の事項が記載されている。
「【００１０】
　電子デバイスは、ディスプレイを備えることができる。ディスプレイは、画像を表示するために使用される画素のアレイを含むアクティブエリア、及び画素のない非アクティブエリアを有することができる。回路及び内部のデバイス構成要素は、非アクティブエリアの下に実装することができる。
【００１１】
　ディスプレイ用の保護ディスプレイカバー層は、透明な材料の層から形成することができる。ディスプレイカバー層は、ディスプレイのアクティブエリア及び非アクティブエリアの両方に重ね合わせることができる。アクティブエリアに重ね合わさるディスプレイカバー層の部分は、インクはなく透明である。非アクティブエリアに重ね合わさるディスプレイカバー層の部分の内面は、デバイス内の内部構造体をユーザによる視界から隠すのに役立つように、不透明マスキング層でコーティングすることができる。不透明マスキング層は、光吸収粒子を有するポリマー、又は他の好適な不透明な構造体から形成することができる。不透明マスキング層は、例えば、黒色インクの層、又は別の色の不透明な層とすることができる。
【００１２】
　開口部は、光を透過するウィンドウを形成するように、不透明マスキング層内に形成することができる。光学窓又は光窓と呼ばれる場合もあり得る、これらのウィンドウは、光学式構成要素を収容するために使用することができる。例えば、カメラは、ディスプレイカバー層内のウィンドウを通して画像をキャプチャすることができ、周辺光センサは、ディスプレイカバー層内のウィンドウを通して周辺光レベルを測定することができ、光学式近接センサは、ディスプレイカバー層内のウィンドウを通して近接センサによる測定をするために使用することができる。いくつかの場合（例えば、可視光波長で動作するカメラなどの構成要素用のウィンドウを形成する場合）では、ウィンドウは、可視波長で透明とすることができ、何もコーティング層をなしにすることができる。周辺光センサ用のウィンドウを形成する場合などの他の場合では、少なくとも部分的にウィンドウを不明瞭化するようにウィンドウをコーティングすることが望ましいことがある。これは、例えば、周辺光センサが周辺光の測定ができるように周辺光センサに充分な周辺光を透過する、暗いコーティングで周辺光センサ用ウィンドウをコーティングすることにより、実現することができる。コーティングの暗い外観は、周辺光センサ用ウィンドウを、非アクティブエリア内の黒色インク又は他の不透明マスキング層の近隣の部分の外観と融合するのを可能にできる。
【００１３】
　
一般的に、周辺光センサ用のウィンドウコーティングは、任意の好適な色（例えば、白、灰色、黒
）を有することができる
【００１４】
　ウィンドウコーティングが所望の外観（例えば、所望の反射率、所望の色、特定の波長での所望の透過率など）を有することを確実にするために、ウィンドウコーティングは、薄膜積層体を使用して形成することができる。例えば、無機材料の複数の薄い層を、物理蒸着技術又は他の好適な技術を使用してディスプレイカバー層の内面上に堆積させることができる。層の数、層の厚さ、及びコーティングの層内に使用される材料を調整することにより、コーティングは、所望の外側の外観及び透過特性を備えることができる。例えば、周辺光センサ用ウィンドウの内面上のコーティングは、ウィンドウからの反射量及びウィンドウの色を調整する（例えば、ディスプレイの非アクティブエリア内の不透明なマスキング材料が帯青黒色の外観を有する構成で、帯青黒色に）、反射防止及び色調整層として機能することができる。コーティングはまた、光を吸収する無機材料の薄膜層も設けることができる（例えば、周囲の不透明なマスキング構造体と融合するためにコーティングが充分に黒く見えることを確実にするために）。」
「【００１６】
　図１の例では、
デバイス１０は、ディスプレイ１４を含む
ディスプレイ１４は、筐体１２内に実装されている
「【００１９】
　
ディスプレイ１４は、透明なガラス、透明プラスチック、透明なセラミック、サファイア、若しくは他の透明な結晶性材料の層、又は他の透明な層（単数又は複数）などの、ディスプレイカバー層を使用して保護することができる
「【００２４】
　ディスプレイカバー層３０の内面は、非アクティブエリアＩＡ内の１つ以上の材料の層でコーティングすることができる。図２の例では、
非アクティブエリアＩＡ内のディスプレイカバー層３０の下側は、不透明マスキング層３６でコーティングされている。不透明マスキング層３６は、例えば、黒色インクの層とすることができる
「【００２６】
　図２の例では、ウィンドウコーティング３８は、開口部４０が層３６内に形成された後で、不透明マスキング層３６の内面上に堆積してある。層３６は、スクリーン印刷又は他の好適な技術を使用して堆積してパターン化することができる。
所望であれば、コーティング３８は、ウィンドウ２０用の開口部４０を形成するために層３６を堆積して層３６をパターン化する前に、ディスプレイカバー層３０の内面上に堆積させることができる（例えば、図３を参照）
【００２７】
　図４に示すように、図２の周辺光４４などの入射する周辺光は、ウィンドウ２０の表面法線ｎ（すなわち、ウィンドウ２０内のディスプレイカバー層３６の部分の表面法線）に対する入射角ＡＯＩの範囲により特徴付けることができる。コーティング３８は、好ましくは入射角ＡＯＩにあまり依存しない透過特性を呈する。コーティング３８の外観もまた、好ましくは、色及び反射率などの属性において不透明マスキング層３６の外観に適合する。
【００２８】
　１つの例示的な構成では、
コーティング３８は、層５０などの反射防止及び色調整層を含む
【００２９】
　所望であれば、
コーティング３８内の材料（例えば、層５０のスペクトル調整構造体）の屈折率、材料、及び層の厚さは、コーティング３８が所望の色（例えば、帯青黒色、又は別の望ましいスペクトル曲線を有する色）を有することを確実にするように選択することができる
薄膜干渉効果を反射率及び色を調整するために使用することができるので、多様な所望の反射率値及び色を実現することができる（例えば、層の厚さ、層の数、及び層の材料を調整することにより）
【００３０】
　コーティング層３８はまた、層５２などの１つ以上の光吸収層も含むことができる。層５２は、例えば、コーティング３８を黒く見えるようにするために、充分な光を吸収する暗い材料とすることができる。層５２の厚さは、周辺光４４の一部が周辺光センサ４２に届くことができるように、充分小さくすることができる。
【００３１】
　図４の反射防止及び色調整コーティング５０用の例示的な構成を、図５に示す。図５の例では、
コーティング５０は、３つの酸化アルミニウム層及び３つの酸化チタン層の、６つの無機誘電体層（金属酸化物層）の積層体から形成されている。酸化アルミニウム（屈折率１．７）及び酸化チタン（屈折率２．７）に対する、互いに対して及び層３０のガラス（屈折率１．５５）に対して異なる屈折率値は、層５０がウィンドウ２０に対して、反射防止層として（ウィンドウ２０からの可視光の反射を低減する）及び色調整（スペクトル調整）層として機能することを可能にする
【００３２】
　光吸収層５２もまた、物理蒸着又は他の好適な析出技術を使用して堆積された無機層とすることができる（例えば、層５２は、黒色物理蒸着無機層とすることができる）。入射角感度を低減するのに役立つために、層５２は、比較的高い屈折率を有する材料から形成することができる。」
【図１】
【図２】
【図３】
【図４】
【図５】
　【図２】から、ディスプレイカバー層３０が、筐体１２と結合していることが読み取れる。
　【００２６】、【図３】から、コーティング３８は、ウィンドウ２０用の開口部４０を形成するために層３６を堆積して層３６をパターン化する前に、ディスプレイカバー層３０の内面上に堆積させており、その堆積される範囲は、周辺光センサ用のウィンドウだけでなく、当該ウィンドウ周辺を含む非アクティブエリアＩＡであることが読み取れる。この場合、コーティング３８内の材料（例えば、コーティング３８に含まれる反射防止及び色調整層５０のスペクトル調整構造体）の屈折率、材料、及び層の厚さ、すなわちコーティング３８の反射率値および色は、堆積される範囲全体にわたって同じになることが類推される。よって、【００１３】に記載の「周辺光センサ用のウィンドウコーティング」が有する「任意の好適な色（例えば、白、灰色、黒、又は他の色）」は、「周辺光センサ用のウィンドウコーティング」だけではなく、当該ウィンドウ周辺を含む非アクティブエリアＩＡのコーティングが有する色であることが読み取れる。
　以上を総合すると、上記記載事項及び図面からみて、引用文献３には、以下の発明（以下「引用発明３」という。）が記載されているものと認められる。
「筐体１２内に実装されているディスプレイ１４を含むデバイス１０であって（【００１６】）、
　前記筐体１２内に実装されているディスプレイ１４は、透明なガラスのディスプレイカバー層３０を使用して保護することができ、当該ディスプレイカバー層３０は前記筐体１２と結合し（【００１９】、【図２】）、
　非アクティブエリアＩＡ内のディスプレイカバー層３０の下側は、黒色インクの層とする不透明マスキング層３６でコーティングされ、コーティング３８は、ウィンドウ２０用の開口部４０を形成するために層３６を堆積して層３６をパターン化する前に、ディスプレイカバー層３０の内面上に堆積させることができ（【００２４】、【００２６】）、【図２】、【図３】）、当該コーティング３８は、任意の好適な色（例えば、白、灰色、黒）を有することができ（【００１３】、【００２６】、【図３】）、コーティング３８に含まれる反射防止及び色調整層５０は、３つの酸化アルミニウム層及び３つの酸化チタン層の、６つの無機誘電体層（金属酸化物層）の積層体から形成され、互いに対して異なる屈折率値は、層５０が反射防止層として（可視光の反射を低減する）及び色調整（スペクトル調整）層として機能することを可能にする（【００２８】、【００２９】、【００３１】、【図４】、【図５】）、
　デバイス１０。」
第６　対比・判断
　本願発明と引用発明３を対比する。
１　引用発明３の「デバイス１０」は、「筐体１２内に実装されているディスプレイ１４を含む」ことから、本願発明の「内部を有する電子デバイス」に相当する。
２　引用発明３の「筐体１２」は、本願発明の「筐体構造体」に相当する。
３　引用発明３の「透明なガラスのディスプレイカバー層３０」は、本願発明の「透明ガラス基板」に相当する。
　よって、引用発明の「筐体１２と結合し」た「透明なガラスのディスプレイカバー層３０」は、本願発明の「筐体構造体に結合した透明ガラス基板」に相当する。
４　引用発明３の「黒色インクの層とする不透明マスキング層３６」、「層３６を堆積して層３６をパターン化する前に、ディスプレイカバー層３０の内面上に堆積させ」ることは、それぞれ本願発明の「インク層」、「前記インク層と前記透明ガラス基板との間に挿入され」ることに相当する。
　また、引用発明３の「任意の好適な色（例えば、白、灰色、黒）」は、本願発明の「無彩色」に相当し、引用発明３の「コーティング３８に含まれる反射防止及び色調整層５０」は、「６つの無機誘電体層（金属酸化物層）の積層体から形成され、互いに対して異なる屈折率値は、層５０が反射防止層として（可視光の反射を低減する）及び色調整（スペクトル調整）層として機能することを可能にする」ものであるから、本願発明の「部分反射ミラーを形成する」「薄膜干渉フィルタ」に相当する。
　よって、引用発明３の「非アクティブエリアＩＡ内のディスプレイカバー層３０の下側は、黒色インクの層とする不透明マスキング層３６でコーティングされ、コーティング３８は、ウィンドウ２０用の開口部４０を形成するために層３６を堆積して層３６をパターン化する前に、ディスプレイカバー層３０の内面上に堆積させることができ、当該コーティング３８は、任意の好適な色（例えば、白、灰色、黒）を有することができ、コーティング３８に含まれる反射防止及び色調整層５０は、３つの酸化アルミニウム層及び３つの酸化チタン層の、６つの無機誘電体層（金属酸化物層）の積層体から形成され、互いに対して異なる屈折率値は、層５０が反射防止層として（可視光の反射を低減する）及び色調整（スペクトル調整）層として機能することを可能にする」ことは、本願発明の「前記内部に面し、前記透明ガラス基板を通して視認できる、前記透明ガラス基板上のコーティングと、を備え、前記コーティングは、インク層と、前記インク層と前記透明ガラス基板との間に挿入された薄膜干渉フィルタとを有し、前記薄膜干渉フィルタは、無彩色の部分反射ミラーを形成する」ことに相当する。
　以上のことから、引用発明３は本願発明の構成の全てを含むから、本願発明は引用文献３に記載された発明である。
　また、本願発明は、引用発明３に基づいて当業者が容易に想到し得るものであり、本願発明によって奏される効果は、引用発明３から当業者が予測し得る程度のものにすぎない。
第７　むすび
　以上のとおり、本願発明は、引用文献３に記載された発明であるから、特許法２９条１項３号に該当し、また、引用発明３に基づいて当業者が容易に発明をすることができたものであるから、同法２９条２項の規定により特許を受けることができない。
　したがって、他の請求項に係る発明について審理するまでもなく、本件出願は拒絶すべきものである。
　よって、結論のとおり審決する。